(57)【要約】【課題】無線モジュール追加のための設計変更に伴う作業負担を大幅に低減する。【解決手段】それぞれに固有の通信方式で無線データ通信を行う無線回路１１Ａと、無線回路１１Ａのインターフェースと共通インターフェースとを相互に変換するＩ／Ｆ変換回路１２とを有する複数の無線モジュール１１Ｘを、それぞれ別個の子プリント基板１１Ｐに実装した後、コントローラモジュール１３が実装されている親プリント基板１０Ｐに取り付けて、Ｉ／Ｆ変換回路１２をコントローラモジュール１３に接続する。【選択図】  図１
2018019317.tif 000002
【特許請求の範囲】
【請求項１】
各種無線方式の通信端末との間で無線データ通信を行うマルチ通信ゲートウェイ装置であって、
それぞれに固有の通信方式で無線データ通信を行う無線回路を有する複数の無線モジュールと、
前記無線モジュールに設けられて、前記無線回路に固有のインターフェースと規定の制御インターフェースとを相互に変換するＩ／Ｆ変換回路と、
前記制御インターフェースに基づき前記Ｉ／Ｆ変換回路を介して前記無線モジュールを制御して前記通信端末と無線データ通信を行うことにより、前記通信端末から送信されたデータを上位装置へ中継転送するコントローラモジュールとを備え、
前記無線モジュールは、それぞれ別個の子プリント基板に実装された状態で、前記コントローラモジュールが実装されている親プリント基板に取り付けられる
ことを特徴とするマルチ通信ゲートウェイ装置。
【請求項２】
請求項１に記載のマルチ通信ゲートウェイ装置において、
前記Ｉ／Ｆ変換回路は、前記制御インターフェースに代えて、前記無線回路のインターフェースと共通インターフェースとを相互に変換し、
前記無線モジュールごとに設けられて、前記制御インターフェースと前記共通インターフェースとを相互に変換する共通Ｉ／Ｆ回路をさらに備え、
前記共通Ｉ／Ｆ回路は、前記親プリント基板に予め実装されて、前記親プリント基板に取り付けられた前記無線モジュールの前記Ｉ／Ｆ変換回路とそれぞれ接続される
ことを特徴とするマルチ通信ゲートウェイ装置。
【請求項３】
請求項１または請求項２に記載のマルチ通信ゲートウェイ装置において、
前記無線モジュールは、コネクタを介して上下に積層接続された状態で前記親プリント基板上に取り付けられていることを特徴とするマルチ通信ゲートウェイ装置。
【請求項４】
請求項１〜請求項３のいずれかに記載のマルチ通信ゲートウェイ装置において、
前記無線モジュールは、折り曲げ可能なコネクタを介して前記親プリント基板とそれぞれ個別に接続されるとともに、それぞれ上下に積み上げられた状態で、前記親プリント基板上に取り付けられていることを特徴とするマルチ通信ゲートウェイ装置。
【請求項５】
請求項１〜請求項４のいずれかに記載のマルチ通信ゲートウェイ装置において、
前記無線モジュールは、互いのアンテナ間の距離が、前記無線データ通信に用いる電波の波長に基づき特定される最低離間距離以上となる位置および向きで、前記親プリント基板上に取り付けられており、
前記最低離間距離は、前記親プリント基板の基板平面に対して垂直な方向において前記波長の１／２からなり、前記親プリント基板の基板平面に対して水平な方向において前記波長の１／１０からなる
ことを特徴とするマルチ通信ゲートウェイ装置。
【請求項６】
請求項５に記載のマルチ通信ゲートウェイ装置において、
前記アンテナ間の距離が前記最低離間距離より短い場合、前記アンテナ間に前記電波を遮蔽するためのシールドを設けることを特徴とするマルチ通信ゲートウェイ装置。
【発明の詳細な説明】
【技術分野】
【０００１】
本発明は、それぞれ固有の通信方式の通信端末から送信されたデータを集約して上位装置へ中継転送するマルチ通信ゲートウェイ装置に関する。
【背景技術】
【０００２】
各種機器がインターネットに接続されるＩｏＴ（Internet of Things）社会では、各種のセンサがネットワークに接続され、多種多量のデータを収集し、そのデータを解析することで人間の役に立つ情報を引き出すことが期待されている。例えば、医療機器や健康機器から生体情報などのセンサデータを収集する場合、データ収集システムにより、各種センサ端末で検出したセンサデータを、ゲートウェイ装置や通信ネットワークを介してサーバなどの上位装置へ中継接続することになる。
【０００３】
従来、このようなデータ収集システムで用いられるゲートウェイ装置では、コントローラモジュールが実装されている親プリント基板上に、これら無線モジュールを構成する回路を直接実装する構成を採用している。
【先行技術文献】
【非特許文献】
【０００４】
【非特許文献１】Shang Guoqiang, et. al.，"Design and Implementation of a Smart IoT Gateway"，IEEE CGCC 2013
【非特許文献２】山田英二他、"大容量移動通信方式用基地局/移動局アンテナ構成技術"，NTT研究実用化報告書第35巻第10号，pp.1023-1031，1986
【発明の概要】
【発明が解決しようとする課題】
【０００５】
しかしながら、このような従来技術では、無線モジュールを構成する回路を親プリント基板上に直接実装する構成によれば、装置全体を小型化できるものの、既存のゲートウェイ装置を異なる無線方式に対応させるため、新たな無線モジュールを追加する設計変更を行う場合、親プリント基板を含む全体の再設計や無線規格の再認証が必要となるため、設計変更に伴う作業負担が増大するという問題点があった。
【０００６】
本発明はこのような課題を解決するためのものであり、無線モジュール追加のための設計変更に伴う作業負担を大幅に低減できるマルチ通信ゲートウェイ装置を提供することを目的としている。
【課題を解決するための手段】
【０００７】
このような目的を達成するために、本発明にかかるマルチ通信ゲートウェイ装置は、各種無線方式の通信端末との間で無線データ通信を行うマルチ通信ゲートウェイ装置であって、それぞれに固有の通信方式で無線データ通信を行う無線回路を有する複数の無線モジュールと、前記無線モジュールに設けられて、前記無線回路に固有のインターフェースと規定の制御インターフェースとを相互に変換するＩ／Ｆ変換回路と、前記制御インターフェースに基づき前記Ｉ／Ｆ変換回路を介して前記無線モジュールを制御して前記通信端末と無線データ通信を行うことにより、前記通信端末から送信されたデータを上位装置へ中継転送するコントローラモジュールとを備え、前記無線モジュールは、それぞれ別個の子プリント基板に実装された状態で、前記コントローラモジュールが実装されている親プリント基板に取り付けられる。
【０００８】
また、本発明にかかる上記マルチ通信ゲートウェイ装置の一構成例は、前記Ｉ／Ｆ変換回路が、前記制御インターフェースに代えて、前記無線回路のインターフェースと共通インターフェースとを相互に変換し、前記無線モジュールごとに設けられて、前記制御インターフェースと前記共通インターフェースとを相互に変換する共通Ｉ／Ｆ回路をさらに備え、前記共通Ｉ／Ｆ回路は、前記親プリント基板に予め実装されて、前記親プリント基板に取り付けられた前記無線モジュールの前記Ｉ／Ｆ変換回路とそれぞれ接続されるようにしたものである。
【０００９】
また、本発明にかかる上記マルチ通信ゲートウェイ装置の一構成例は、前記無線モジュールが、コネクタを介して上下に積層接続された状態で前記親プリント基板上に取り付けられている。
【００１０】
また、本発明にかかる上記マルチ通信ゲートウェイ装置の一構成例は、前記無線モジュールが、折り曲げ可能なコネクタを介して前記親プリント基板とそれぞれ個別に接続されるとともに、それぞれ上下に積み上げられた状態で、前記親プリント基板上に取り付けられている。
【００１１】
また、本発明にかかる上記マルチ通信ゲートウェイ装置の一構成例は、前記無線モジュールが、互いのアンテナ間の距離が、前記無線データ通信に用いる電波の波長に基づき特定される最低離間距離以上となる位置および向きで、前記親プリント基板上に取り付けられており、前記最低離間距離は、前記親プリント基板の基板平面に対して垂直な方向において前記波長の１／２からなり、前記親プリント基板の基板平面に対して水平な方向において前記波長の１／１０からなるものである。
【００１２】
また、本発明にかかる上記マルチ通信ゲートウェイ装置の一構成例は、前記アンテナ間の距離が前記最低離間距離より短い場合、前記アンテナ間に前記電波を遮蔽するためのシールドを設けたものである。
【発明の効果】
【００１３】
本発明によれば、既存のマルチ通信ゲートウェイ装置を異なる無線方式に対応させる際、新たな無線モジュールを親プリント基板に取り付けて、新たな無線モジュールのＩ／Ｆ変換回路をコントローラモジュールに接続するという設計変更だけで、新たな無線モジュールをマルチ通信ゲートウェイ装置に追加することができる。したがって、無線モジュール追加のための設計変更に伴う作業負担を大幅に低減することができ、極めて拡張性の高いマルチ通信ゲートウェイ装置を実現することが可能となる。
【図面の簡単な説明】
【００１４】
【図１】マルチ通信ゲートウェイ装置の実装例を示す説明図である。
【図２】マルチ通信ゲートウェイ装置の構成を示すブロック図である。
【図３】マルチ通信ゲートウェイ装置の実装例（共通Ｉ／Ｆ実装）を示す説明図である。
【図４】マルチ通信ゲートウェイ装置の構成（共通Ｉ／Ｆ実装）を示すブロック図である。
【図５】マルチ通信ゲートウェイ装置の実装例（積層接続実装）を示す斜視図である。
【図６】マルチ通信ゲートウェイ装置の実装例（折り曲げ実装）を示す斜視図である。
【発明を実施するための形態】
【００１５】
次に、本発明の一実施の形態について図面を参照して説明する。
［マルチ通信ゲートウェイ装置］
まず、図１および図２を参照して、本発明の第１の実施の形態にかかるマルチ通信ゲートウェイ装置１０について説明する。図１は、マルチ通信ゲートウェイ装置の実装例を示す説明図である。図２は、マルチ通信ゲートウェイ装置の構成を示すブロック図である。
【００１６】
このマルチ通信ゲートウェイ装置１０は、データ収集システムで用いられて、それぞれ固有の通信方式を持つ通信端末（図示せず）と無線データ通信を行うことにより、これら通信端末から送信されたデータを集約して上位装置（図示せず）へ中継転送する機能を有している。
【００１７】
例えば、データ収集システムが人の活動情報を収集するシステムである場合、通信端末として、加速度センサ、心拍センサ、呼吸センサ、体温センサなどのセンサ端末、生体情報を検出する医療機器や健康機器などの端末装置が用いられる。また、マルチ通信ゲートウェイ装置１０については、これら通信端末からのデータを収集するウェアラブルな装置として構成してもよい。
【００１８】
次に、本実施の形態にかかるマルチ通信ゲートウェイ装置１０の構成について詳細に説明する。
マルチ通信ゲートウェイ装置１０には、主な回路部として、無線モジュール１１、Ｉ／Ｆ変換回路１２、およびコントローラモジュール１３が設けられている。
【００１９】
無線モジュール１１（１１Ｘ，１１Ｙ）は、それぞれ固有の通信方式により通信端末２０とデータ通信を行うための通信回路１１Ａおよびアンテナ１１Ｂを有し、コントローラモジュール１３からの指示に基づいて、自己の通信方式で用いるプロトコルスタックを用いてそれぞれに固有の通信方式で通信端末２０とのデータ通信を行うモジュールである。通信方式としては、無線の場合、Ｚｉｇｂｅｅ（登録商標）やＷｉ−ＳＵＮ（登録商標）などの低電力無線方式を用いればよく、有線の場合には、ＵＳＢ、ＬＡＮ、ＲＳ２３２などを汎用通信方式を用いればよい。
【００２０】
これら無線モジュール１１には、小型の子プリント基板１１Ｐ上に部品実装された無線モジュール１１Ｘと、親プリント基板１０Ｐ上に回路が直接実装された無線モジュール１１Ｙとがある。
【００２１】
Ｉ／Ｆ変換回路１２は、各無線モジュール１１Ｘに搭載されて、それぞれの無線モジュール１１Ｘのインターフェースとコントローラモジュール１３の制御インターフェースとを相互に変換することにより、無線モジュール１１をコントローラモジュール１３に接続する回路部である。
【００２２】
コントローラモジュール１３は、全体として、リアルタイムＯＳを内蔵するマイコンや、リコンフィギュラブルデバイスであるＣＰＬＤ（Complex Programmable Logic Device）などの演算処理チップから構成されて、親プリント基板１０Ｐに直接部品実装されている。コントローラモジュール１３は、予め内蔵する制御プログラムを実行することにより、無線モジュール１１のうち通信端末の通信方式と対応する無線モジュール１１を制御して、通信端末とデータ通信を行うことにより、通信端末から送信されたデータを集約して上位装置へ中継転送する機能を有している。
【００２３】
［実装例］
次に、図１を参照して、本実施の形態にかかる無線モジュール１１Ｘの実装例について説明する。
図１に示すように、親プリント基板１０Ｐには、コントローラモジュール１３および無線モジュール１１Ｙを構成する回路が、直接実装されている。
一方、無線モジュール１１Ｘは、無線回路１１Ａやアンテナ１１Ｂを構成する回路が、小型の子プリント基板１１Ｐ上に実装されたモジュールであり、親プリント基板１０Ｐに対してモジュール単位で取り付けられることになる。
【００２４】
ここで、無線モジュール１１Ｘには、それぞれの無線回路１１Ａが備える固有のインターフェースと、親プリント基板１０Ｐ側の制御インターフェースとを相互に変換するためのＩ／Ｆ変換回路１２が搭載されており、無線モジュール１１Ｘを親プリント基板１０Ｐに取り付けた際、Ｉ／Ｆ変換回路１２が親プリント基板１０Ｐ上の配線パターン１４を介してコントローラモジュール１３の制御Ｉ／Ｆ部１３Ｄと接続されることになる。
【００２５】
これにより、無線モジュール１１Ｘの無線回路１１Ａは、Ｉ／Ｆ変換回路１２、配線パターン１４、および制御Ｉ／Ｆ部１３Ｄを介して、コントローラモジュール１３のコントローラ回路１３Ｂとの間で、データ通信を行うことにより制御されることになる。
また、無線モジュール１１Ｙの無線回路１１Ａは、配線パターン１４、および制御Ｉ／Ｆ部１３Ｄを介して、コントローラモジュール１３のコントローラ回路１３Ｂとの間で、データ通信を行うことにより制御されることになる。
【００２６】
したがって、新たな無線モジュール１１Ｘを親プリント基板１０Ｐに追加実装するための構成としては、追加する無線モジュール１１Ｘに搭載されているＩ／Ｆ変換回路１２からの信号線を、コネクタや配線を介して親プリント基板１０Ｐに接続するための接続端子と、これら接続端子とコントローラモジュール１３とを接続するための配線パターン１４とを、親プリント基板１０Ｐに予め設けておけばよい。
【００２７】
これにより、無線モジュール１１Ｘの追加のための設計変更に伴う作業負担を大幅に低減でき、これら接続端子および配線パターン１４を設けておくという設計当初における僅かなコスト負担だけで、将来に向けて高い拡張性を得ることができる。
【００２８】
［共通Ｉ／Ｆ実装］
次に、図３および図４を参照して、本実施の形態にかかる無線モジュール１１Ｘの他の実装例について説明する。図３は、マルチ通信ゲートウェイ装置の実装例（共通Ｉ／Ｆ実装）を示す説明図である。図４は、マルチ通信ゲートウェイ装置の構成（共通Ｉ／Ｆ実装）を示すブロック図である。
【００２９】
図１および図２では、無線モジュール１１ＸのＩ／Ｆ変換回路１２をコントローラモジュール１３の制御インターフェースに適用させた場合を例として説明した。本実施の形態では、Ｉ／Ｆ変換回路１２を制御インターフェースとは異なる共通インターフェースに適用させる場合について説明する。
【００３０】
コントローラモジュール１３の制御インターフェースが比較的汎用性が低い場合、より汎用性の高い一般的な共通インターフェースを用いたほうが、Ｉ／Ｆ変換回路１２を簡単な回路構成で実現できる場合がある。
図３および図４では、このような場合に対応するため、Ｉ／Ｆ変換回路１２に、制御インターフェースに代えて、対応する無線回路１１Ａのインターフェースと共通インターフェースとを相互に変換する機能を設けるとともに、コントローラモジュール１３の制御インターフェースと共通インターフェースとを相互に変換する共通Ｉ／Ｆ回路１５を無線モジュール１１Ｘごとに設けている。
【００３１】
すなわち、共通Ｉ／Ｆ回路１５は、予め規定されている共通インターフェースに基づいて任意の外部回路をコントローラモジュール１３に接続するための回路部であり、親プリント基板１０Ｐ上に実装される無線モジュール１１Ｘごとに予め設けられている。
これにより、無線モジュール１１Ｘの無線回路１１Ａは、Ｉ／Ｆ変換回路１２、共通Ｉ／Ｆ回路１５、配線パターン１４、および制御Ｉ／Ｆ部１３Ｄを介して、コントローラモジュール１３のコントローラ回路１３Ｂとの間で、データ通信を行うことにより制御されることになる。
【００３２】
したがって、新たな無線モジュール１１Ｘを親プリント基板１０Ｐに追加実装するための構成としては、追加する無線モジュール１１Ｘに搭載されているＩ／Ｆ変換回路１２からの信号線を、コネクタや配線を介して親プリント基板１０Ｐに接続するための接続端子と、これら接続端子に接続された共通Ｉ／Ｆ回路１５と、これら共通Ｉ／Ｆ回路１５とコントローラモジュール１３とを接続するための配線パターン１４とを、親プリント基板１０Ｐに予め設けておけばよい。
【００３３】
これにより、無線モジュール１１Ｘの追加のための設計変更に伴う作業負担を大幅に低減でき、これら接続端子、共通Ｉ／Ｆ回路１５、および配線パターン１４を設けておくという設計当初における僅かなコスト負担だけで、将来に向けて高い拡張性を得ることができる。この際、図１および図２の実装例と比較して、共通Ｉ／Ｆ回路１５を追加する必要があるが、共通インターフェースを仲介させているため、Ｉ／Ｆ変換回路１２を制御インターフェースに適用させる場合と比較して、Ｉ／Ｆ変換回路１２の回路構成を簡素化することができる。
【００３４】
なお、図３に示すように、無線モジュール１１Ｘであっても、無線回路１１Ａのインターフェースが、コントローラモジュール１３の制御インターフェースに対応している場合には、Ｉ／Ｆ変換回路１２および共通Ｉ／Ｆ回路１５を省くことができ、配線パターン１４により、無線モジュール１１Ｘとコントローラモジュール１３とを接続すればよい。
同様に、無線回路１１Ａのインターフェースが、共通インターフェースに対応している場合には、Ｉ／Ｆ変換回路１２を省くことができ、配線パターン１４により、無線モジュール１１Ｘとコントローラモジュール１３とを接続すればよい。
【００３５】
［積層接続実装］
次に、図５を参照して、本実施の形態にかかる無線モジュール１１Ｘの積層接続実装例について説明する。図５は、マルチ通信ゲートウェイ装置の実装例（積層接続実装）を示す斜視図である。
【００３６】
図５の例では、無線モジュール１１Ｘが、コネクタ１６を介して互いに積層接続された状態で親プリント基板１０Ｐ上に実装されている。
コネクタ１６は、各無線モジュール１１ＸのＩ／Ｆ変換回路１２を、親プリント基板１０Ｐの共通Ｉ／Ｆ回路１５と接続するためのコネクタであり、例えば、多芯接続ピンなどからなる一般的な基板間接続用のコネクタを用いればよい。
【００３７】
コネクタ１６については、上下に位置する無線モジュール１１Ｘ間を接続する複数のコネクタで構成してもよく、すべての無線モジュール１１Ｘを親プリント基板１０Ｐに共通接続する１つのコネクタで構成してもよい。
また、無線モジュール１１Ｘの取付けについては、例えば、コネクタ１６の嵌合力を利用してもよく、サポータを介して無線モジュール１１Ｘ間で、あるいは親プリント基板１０Ｐにネジ止めしてもよい。
【００３８】
［折り曲げ実装］
次に、図６を参照して、本実施の形態にかかる無線モジュール１１Ｘの折り曲げ実装例について説明する。図６は、マルチ通信ゲートウェイ装置の実装例（折り曲げ実装）を示す斜視図である。
【００３９】
図６の例では、無線モジュール１１Ｘが、折り曲げ可能なコネクタ１７を介して親プリント基板１０Ｐとそれぞれ個別に接続されており、コネクタ１７の可撓性により、それぞれ上下に積み上げられた状態で、親プリント基板１０Ｐ上に取り付けられている。
【００４０】
コネクタ１７は、各無線モジュール１１ＸのＩ／Ｆ変換回路１２を、親プリント基板１０Ｐの共通Ｉ／Ｆ回路１５と接続するためのコネクタであり、例えば、フレキシブル配線基板などからなる一般的な折り曲げ可能なコネクタを用いればよい。
また、無線モジュール１１Ｘの取付けについては、例えば、サポータを介して無線モジュール１１Ｘ間で、あるいは親プリント基板１０Ｐにネジ止めしてもよい。
【００４１】
［アンテナ間距離］
次に、無線モジュール１１Ｘ，１１Ｙのアンテナ間距離について説明する。無線モジュール１１Ｘ，１１Ｙには、モジュールから外部に突出したものや、配線パターンで形成されたものなど、無線電波を送受信するためのアンテナ１１Ｂが搭載されている。複数の無線モジュール１１Ｘ，１１Ｙを実装する際、各無線モジュール１１Ｘ，１１Ｙのアンテナ間距離が近い場合、相手の送信電波が干渉してノイズの原因となる。
【００４２】
本実施の形態では、これらアンテナ１１Ｂのアンテナ間距離Ｌに関する最低離間距離Ｌｌｉｍを、無線データ通信に用いる無線電波の波長λに応じて設定している。具体的には、親プリント基板１０Ｐの基板平面に対して垂直方向における垂直最低離間距離Ｌｌｉｍｖを１／２λとし、親プリント基板１０Ｐの基板平面に対して水平方向に水平最低離間距離Ｌｌｉｍｈを１／１０λとする。なお、この数値の効果は、例えば非特許文献２より実験的に確かめられている。
【００４３】
このようにして、すべてのアンテナ間距離Ｌが、これら垂直最低離間距離Ｌｌｉｍｖおよび水平最低離間距離Ｌｌｉｍｈ以上離れた位置および向きとなるよう、各無線モジュール１１Ｘ，１１Ｙの実装位置を決定すればよい。この際、どうしてもアンテナ間の距離Ｌが最低離間距離Ｌｌｉｍより短くなる場合、アンテナ間に電波を遮蔽するためのシールドを設けてもよい。
【００４４】
［本実施の形態の効果］
このように、本実施の形態は、それぞれに固有の通信方式で無線データ通信を行う無線回路１１Ａと、無線回路１１Ａのインターフェースと共通インターフェースとを相互に変換するＩ／Ｆ変換回路１２とを有する複数の無線モジュール１１Ｘを、それぞれ別個の子プリント基板１１Ｐに実装した後、コントローラモジュール１３が実装されている親プリント基板１０Ｐに取り付けて、Ｉ／Ｆ変換回路１２をコントローラモジュール１３に接続するようにしたものである。
【００４５】
これにより、既存のマルチ通信ゲートウェイ装置１０を異なる無線方式に対応させる際、新たな無線モジュール１１Ｘを親プリント基板１０Ｐに取り付けて、新たな無線モジュール１１ＸのＩ／Ｆ変換回路１２をコントローラモジュール１３に接続するという設計変更だけで、新たな無線モジュール１１Ｘをマルチ通信ゲートウェイ装置１０に追加することができる。
したがって、無線モジュール１１Ｘ追加のための設計変更に伴う作業負担を大幅に低減することができ、極めて拡張性の高いマルチ通信ゲートウェイ装置１０を実現することが可能となる。
【００４６】
また、本実施の形態において、無線モジュール１１Ｘごとに設けられて、コントローラモジュール１３の制御インターフェースと共通インターフェースとを相互に変換する共通Ｉ／Ｆ回路１５を備え、これら共通Ｉ／Ｆ回路１５を、親プリント基板１０Ｐに実装して、無線モジュール１１ＸのＩ／Ｆ変換回路１２とそれぞれ接続するようにしてもよい。
【００４７】
これにより、通信モジュール１１Ｘの無線回路１１Ａ側でコントローラモジュール１３の制御インターフェースに整合させる必要がなくなるとともに、コントローラモジュール１３側で各無線回路１１Ａのインターフェースに整合させる必要もなくなる。したがって、汎用の通信モジュール１１Ｘを積極的に利用することができるとともに、コントローラモジュール１３の設計負担を大幅に軽減することができ、マルチ通信ゲートウェイ装置１０全体のコストを削減することが可能となる。
【００４８】
また、本実施の形態において、無線モジュール１１Ｘを、コネクタ１６を介して上下に積層接続した状態で親プリント基板１０Ｐ上に取り付けるようにしてもよい。
また、本実施の形態において、無線モジュール１１Ｘを、折り曲げ可能なコネクタ１７を介して親プリント基板１０Ｐとそれぞれ個別に接続するとともに、それぞれ上下に積み上げられた状態で、親プリント基板１０Ｐ上に取り付けるようにしてもよい。
これにより、親プリント基板１０Ｐに必要となる無線モジュール１１Ｘの取付面積を縮小でき、親プリント基板１０Ｐの面積増大を抑制しつつ複数の無線モジュール１１Ｘを取り付けることができる。
【００４９】
また、本実施の形態において、無線モジュール１１Ｘを、互いのアンテナ間の距離Ｌが、無線データ通信に用いる無線電波の波長λに基づき特定される最低離間距離Ｌｌｉｍ以上となる位置および向きで、親プリント基板１０Ｐ上に取り付け、最低離間距離Ｌｌｉｍを、親プリント基板１０Ｐの基板平面に対して垂直な方向において波長λの１／２とし、親プリント基板１０Ｐの基板平面に対して水平な方向において波長λの１／１０としてもよい。
【００５０】
また、本実施の形態において、アンテナ間の距離Ｌが最低離間距離Ｌｌｉｍより短い場合、アンテナ間に電波を遮蔽するためのシールドを設けてもよい。
これにより、無線モジュール１１Ｘ間における干渉ノイズの影響を抑制でき、安定した無線通信を実現することができる。
【００５１】
［実装例］
次に、図１を参照して、本実施の形態にかかる無線モジュール１１Ｘの実装例について説明する。
図１に示すように、親プリント基板１０Ｐには、コントローラモジュール１３、共通Ｉ／Ｆ回路１５、無線モジュール１１Ｙ、および直接収容回路１５が、直接部品実装されている。
また、無線モジュール１１Ｘは、小型の子プリント基板上に部品実装されたモジュールであり、親プリント基板１０Ｐに対してモジュール単位で実装されることになる。
【００５２】
ここで、無線モジュール１１Ｘには、それぞれが備える個別のインターフェースと、親プリント基板１０Ｐ側の共通インターフェースとを相互に変換するためのＩ／Ｆ変換回路１２が搭載されている。
【００５３】
したがって、新たな無線モジュール１１Ｘを親プリント基板１０Ｐに追加実装するための構成としては、追加する無線モジュール１１Ｘからのコネクタを親プリント基板１０Ｐに接続するためのコネクタ端子用配線パターンと、このコネクタ端子用配線パターンとコントローラモジュール１３とを接続するための共通Ｉ／Ｆ回路１５とを、親プリント基板１０Ｐに予め設けておけばよい。これにより、設計当初におけるコスト負担を削減しつつ、将来に向けて高い拡張性を得ることができる。
【００５４】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５５】
１０…マルチ通信ゲートウェイ装置、１１，１１Ｘ，１１Ｙ…無線モジュール、１１Ａ…無線回路、１１Ｂ…アンテナ、１２…Ｉ／Ｆ変換回路、１３…コントローラモジュール、１３Ａ…電源回路、１３Ｂ…コントローラ回路、１３Ｃ…メモリ回路、１３Ｄ…制御Ｉ／Ｆ回路、１４…配線パターン、１５…共通Ｉ／Ｆ回路、１６，１７…コネクタ。
【図１】
2018019317.tif 000003
【図２】
2018019317.tif 000004
【図３】
2018019317.tif 000005
【図４】
2018019317.tif 000006
【図５】
2018019317.tif 000007
【図６】
2018019317.tif 000008